(57)【特許請求の範囲】
【請求項１】
互いに平行方向に移動可能に配置され、対向面にラックを有する一対のシート幅調整板と、該シート幅調整板のラックに噛合する共通のピニオンとからなるシート搬送幅調整装置において、
上記一対のラックに、第１の歯と、該第１の歯よりも歯厚の大きい第２の歯を、上記ピニオンに、上記第１の歯にのみ噛合する第１の歯溝と、上記第１及び第２の歯の両方に噛合する第２の歯溝を、それぞれ形成する一方、
上記一対のシート幅調整板が中心に対して対象位置に取り付けられたときに、上記第２の歯と上記第２の歯溝とが噛合するように、上記第１及び第２の歯並びに第１及び第２の歯溝を配置したことを特徴とするシート搬送幅調整装置。
【請求項２】
上記ピニオンの下面に鍔部を形成し、該鍔部によって上記第２の歯と上記第１の歯溝の噛合を阻止することを特徴とする請求項１記載のシート搬送幅調整装置。
【請求項３】
上記第２の歯を、上記一対のラックの同じ位置に配置する一方、上記第２の歯溝を、上記ピニオンの点対称位置にそれぞれ配置したことを特徴とする請求項１又は請求項２記載のシート搬送幅調整装置。
【発明の詳細な説明】
【０００１】
【発明の属する技術分野】
本発明は、シート搬送幅調整装置に関する。
【０００２】
【従来の技術】
従来より、ファクシミリ装置等のようにシートを搬送して用いる装置においては、シート搬送時の直進性を良くするために、シートの幅方向をガイドするシート搬送幅調整装置を備えており、以下、このような従来のシート搬送幅調整装置を、図２乃至図４に基づいて説明する。
【０００３】
図２は一般的なファクシミリ装置の外観構成を示す上面図、図３は同ファクシミリ装置に備えられたシート搬送幅調整装置の構成を示す裏面断面図、図４は同シート搬送幅調整装置の構成を示す分解斜視図である。
【０００４】
図２乃至図４において、１１は操作パネル、１２は後カバーであり、この後カバー１２にはストッパー１２ａ，１２ｂが形成されている。１３は後カバー１２に対して左右方向に移動自在に取り付けられる右側原稿ホッパー、１４は後カバー１２に対して左右方向に移動自在に取り付けられる左側原稿ホッパーであり、この右側原稿ホッパー１３及び左側原稿ホッパー１４には、原稿幅をガイドする凸部１３ａ，１４ａと、ラック部１３ｂ，１４ｂと、ストッパー１３ｃ，１４ｃとが形成されている。
【０００５】
１５は右側原稿ホッパー１３及び左側原稿ホッパー１４のラック部１３ｂ，１４ｂに噛合するピニオンであり、そのピニオン１５には、その下面に、右側原稿ホッパー１３及び左側原稿ホッパー１４がある一定以上浮かないように規制する鍔部１５ａが形成されている。１６はピニオン１５を後カバー１２に回転可能に取り付けるビス、１７はピニオン１５と後カバー１２との間に介在されるバネであり、このバネ１７の付勢力によって、原稿をガイドしている際に原稿の搬送負荷によって右側原稿ホッパー１３及び左側原稿ホッパー１４が動かない程度の負荷が、ピニオン１５を介して右側原稿ホッパー１３及び左側原稿ホッパー１４に与えられるようになっている。
【０００６】
そして、このような構成において、右側原稿ホッパー１３及び左側原稿ホッパー１４は、原稿搬送時のセンターであるＡ点を中心に左右方向に対象位置となるように取り付けられ、常にＡ点を中心に対象になるよう同じ量だけ右側原稿ホッパー１３及び左側原稿ホッパー１４が連動して移動するようになっており、この右側原稿ホッパー１３及び左側原稿ホッパー１４を左右方向に移動させることによって、様々なサイズの原稿の幅方向をガイドし、原稿を送信又はコピーする際の原稿の直進性を良くしていた。
【０００７】
【発明が解決しようとする課題】
ところが、上記従来装置では、右側原稿ホッパー１３及び左側原稿ホッパー１４が、原稿搬送時のセンターであるＡ点を中心に左右方向に対象位置となるように取り付けるために、右側原稿ホッパー１３及び左側原稿ホッパー１４を、後カバー２のストッパー２ａ，２ｂに右側原稿ホッパー１３及び左側原稿ホッパー１４のストッパー１３ｃ，１４ｃがそれぞれ当接するまで動かし、その位置を保持したままでピニオン５を組み込まなければならず、仮に、右側原稿ホッパー１３又は左側原稿ホッパー１４のラック１３ｂ，１４ｂの歯とピニオン１５の歯溝が一歯ずれていて、右側原稿ホッパー１３及び左側原稿ホッパー１４が原稿搬送時のセンターであるＡ点に対して非対称な位置にあっても発見できない可能性があり、ファクシミリ装置等の送受信テスト又はコピーテストによる印字データを確認する必要があった。
【０００８】
又、ファクシミリ装置等の送受信テスト又はコピーテストによる印字データによって画像が左右どちらかに片寄っていることに気付き、右側原稿ホッパー１３及び左側原稿ホッパー１４が原稿搬送時のセンターであるＡ点に対して非対称な位置にあることを発見しても、ファクシミリ装置は組み立て完成品になっているので、多くの部品を取り外さなければ組み直しができないため、組立てに細心の注意をはらわなければならないといった問題点があった。
【０００９】
本発明は、原稿ホッパーが非対称位置にあるか否かを容易に発見できると共に、原稿ホッパー取付時の組立作業性を向上することができるシート搬送幅調整装置を提供することを目的とするものである。
【００１０】
【課題を解決するための手段】
上記目的を達成するために、本発明は、互いに平行方向に移動可能に配置され、対向面にラックを有する一対のシート幅調整板と、該シート幅調整板のラックに噛合する共通のピニオンとからなるシート搬送幅調整装置において、上記一対のラックに、第１の歯と、該第１の歯よりも歯厚の大きい第２の歯を、上記ピニオンに、上記第１の歯にのみ噛合する第１の歯溝と、上記第１及び第２の歯の両方に噛合する第２の歯溝を、それぞれ形成する一方、上記一対のシート幅調整板が中心に対して対象位置に取り付けられたときに、上記第２の歯と上記第２の歯溝とが噛合するように、上記第１及び第２の歯並びに第１及び第２の歯溝を配置する構成としたものである。
【００１１】
従って、本発明によれば、一対のシート幅調整板が中心に対して対象位置に取り付けられたときに、ラックに形成された第２の歯とピニオンに形成された第２の歯溝とが噛合するよう、ラック及びピニオンに形成される第１及び第２の歯並びに第１及び第２の歯溝を配置することにより、一対のシート幅調整板が中心に対して対象位置に取り付けられたときにのみ、シート幅調整板が正常に動作されるようにすることができる。
【００１２】
又、本発明は、上記の構成に加え、上記ピニオンの下面に鍔部を形成し、該鍔部によって上記第２の歯と上記第１の歯溝の噛合を阻止する構成としたものである。
【００１３】
従って、本発明によれば、一対のシートは場調整板が中心に対して対象位置に取り付けられなかったときに、ラックに形成された第２の歯とピニオンに形成された第１の歯溝との噛合を、ピニオンの下面に形成された鍔部によって阻止することにより、一対のシート幅調整板が中心に対して対象位置に取り付けられたときにのみ、シート幅調整板が正常に動作されるようにすることができる。
【００１４】
更に、本発明は、上記の何れかの構成に加え、上記第２の歯を、上記一対のラックの同じ位置に配置する一方、上記第２の歯溝を、上記ピニオンの点対称位置にそれぞれ配置する構成としたものである。
【００１５】
従って、本発明によれば、シート幅調整板とピニオンを組み込むときに、ピニオンの点対称位置にそれぞれ配置形成された第２の歯溝に、一対のラックに形成された第２の歯をそれぞれ噛合させることにより、一対のシート幅調整板を中心に対して対象位置に取り付けることができる。
【００１６】
【発明の実施の形態】
以下、本発明の実施の形態を図面を参照して詳細に説明する。
【００１７】
図１は本発明の一実施の形態であるシート搬送幅調整装置の構成を示す分解斜視図、図２は一般的なファクシミリ装置の外観構成を示す上面図である。
【００１８】
以下、本発明の一実施の形態であるシート搬送幅調整装置を、図１及び図２に基づいて説明する。
【００１９】
図１及び図２において、１は操作パネル、２は後カバー、３は後カバー２に対して左右方向に移動自在に取り付けられる右側原稿ホッパー、４は後カバー２に対して左右方向に移動自在に取り付けられる左側原稿ホッパーであり、この右側原稿ホッパー３及び左側原稿ホッパー４には、原稿幅をガイドする凸部３ａ，４ａと、ラック部３ｂ，４ｂとが形成され、更にラック部３ｂ，４ｂには、通常の歯厚を有する第１の歯３ｃ，４ｃと、第１の歯溝３ｃ，４ｃの歯厚よりも厚い歯厚を有する第２の歯３ｄ，４ｄとが形成されている。
【００２０】
５は右側原稿ホッパー３及び左側原稿ホッパー４のラック部３ｂ，４ｂに噛合するピニオンであり、そのピニオン５には、第１の歯３ｃ，４ｃと同等の溝厚を有する第１の歯溝５ａと、第２の歯３ｄ，４ｄと同等の溝厚を有する第２の歯溝５ｂと、第１の歯溝５ａと第２の歯溝５ｂの下面を閉塞する鍔部５ｃとが形成され、この鍔部５ｃによって右側原稿ホッパー３及び左側原稿ホッパー４がある一定以上浮かないように規制されると共に、第２の歯３ｄ，４ｄと第１の歯溝５ａとが噛合しないように規制される。
【００２１】
６はピニオン５を後カバー２に回転可能に取り付けるビス、７はピニオン５と後カバー２との間に介在されるバネであり、このバネ７の付勢力によって、原稿をガイドしている際に原稿の搬送負荷によって右側原稿ホッパー３及び左側原稿ホッパー４が動かない程度の負荷が、ピニオン５を介して右側原稿ホッパー３及び左側原稿ホッパー４に与えられるようになっている。
【００２２】
そして、上記のような構成において、例えば、ピニオン５に１８個の歯溝が形成されている場合には、第１の歯溝５ａを１番目〜８番目と１０番目〜１７番目に形成し、第２の歯溝５ｂを０番目と９番目に形成する一方、ラック部３ｂ，４ｂの同じ位置に第１の歯３ｃ，４ｃと第２の歯３ｄ，４ｄを形成することにより、０番目に形成された第２の歯溝５ｂに第２の歯３ｄが噛合し、９番目に形成された第２の歯溝５ｂに第２の歯４ｄが噛合する状態で各部品を組み付けることによって、センターであるＡ点を中心として左右の原稿ホッパー３，４の位置を合わせることができる。
【００２３】
しかも、誤って第２の歯溝５ｂに第１の歯３ｃ，４ｃを噛合させた状態で各部品を組み付けたとしても、右側又は左側原稿ホッパー３，４をスライドさせて確認したときに、ピニオン５も一緒に回転して第２の歯３ｄ，４ｄが鍔部５ｃに当接して噛合せず、右側又は左側原稿ホッパー３，４のスライドができなくなるため、当該確認によって左右の原稿ホッパー３，４の位置ずれを発見することができる。
【００２４】
【発明の効果】
以上のように、本発明によれば、一対のシート幅調整板が中心に対して対象位置に取り付けられたときに、ラックに形成された第２の歯とピニオンに形成された第２の歯溝とが噛合するよう、ラック及びピニオンに形成される第１及び第２の歯並びに第１及び第２の歯溝を配置することにより、一対のシート幅調整板が中心に対して対象位置に取り付けられたときにのみ、シート幅調整板が正常に動作されるようにすることができるため、シート幅調整板を動作することによって、一対のシート幅調整板が非対称位置にあるか否かを容易に発見でき、市場への不良品流出を確実に防ぐことができる。
【００２５】
又、本発明によれば、シート幅調整板とピニオンを組み込むときに、ピニオンの点対称位置にそれぞれ配置形成された第２の歯溝に、一対のラックに形成された第２の歯をそれぞれ噛合させることにより、一対のシート幅調整板を中心に対して対象位置に取り付けることができるため、各部品の組み付けを容易に行うことができ、組立作業性を向上することができる。
【図面の簡単な説明】
【図１】本発明の一実施の形態であるシート搬送幅調整装置の構成を示す分解斜視図である。
【図２】一般的なファクシミリ装置の外観構成を示す上面図である。
【図３】従来例であるシート搬送幅調整装置の構成を示す裏面断面図である。
【図４】同シート搬送幅調整装置の構成を示す分解斜視図である。
【符号の説明】
３    右側原稿ホッパー
３ａ  凸部
３ｂ  ラック部
３ｃ  第１の歯
３ｄ  第２の歯
４    左側原稿ホッパー
４ａ  凸部
４ｂ  ラック部
４ｃ  第１の歯
４ｄ  第２の歯
５    ピニオン
５ａ  第１の歯溝
５ｂ  第２の歯溝
５ｃ  鍔部
【図１】
0003558282.tif 000002
【図２】
0003558282.tif 000003
【図３】
0003558282.tif 000004
【図４】
0003558282.tif 000005